(57)【特許請求の範囲】
【請求項１】
物体を照明するための照明光の発光時に配置される第１位置と、当該照明光を発光しない時に配置される位置であって、且つ前記第１位置よりも前記物体から離れる方向に離間した第２位置との間を移動可能な発光手段と、
前記発光手段から発光された前記照明光を、前記物体の側に向けて拡散または集光するために、前記照明光の照射方向において前記発光手段よりも前記物体の側に設けられた光学部材と、
前記光学部材の温度を検出する温度検出手段と、
前記温度検出手段の検出結果に基づいて、前記発光手段による前記発光および前記移動を制御する発光制御手段と、を有し、
前記温度検出手段は、前記発光手段が発光した直後であって、且つ前記発光制御手段により前記発光手段の前記第１位置から、前記温度検出手段の温度検出範囲外となる前記第２位置への移動が制御された後に、前記光学部材の温度を検出することを特徴とする照明装置。
【請求項２】
請求項１に記載の照明装置において、
前記光学部材に対して前記発光手段を接近または離間する方向に移動させることにより、前記照明光の配光角を変化させる配光角可変機構を備え、
前記発光制御手段は、前記配光角可変機構を用いて、前記発光手段を前記第１位置と前記第２位置との間で移動可能に制御することを特徴とする照明装置。
【請求項３】
請求項２に記載の照明装置において、
前記発光制御手段は、
前記配光角可変機構により、前記発光手段の配光角が閾値角度よりも広い角度範囲に設定されている場合に、前記発光手段を、前記第１位置での発光直後に前記第２位置まで移動させることを特徴とする照明装置。
【請求項４】
請求項１〜３のいずれか一項に記載の照明装置において、
前記発光制御手段は、
前記配光角可変機構により、前記発光手段の配光角が閾値角度よりも狭い角度範囲に設定されている場合に、前記発光手段を、前記第１位置での発光直後に当該第１位置に保持させることを特徴とする照明装置。
【請求項５】
請求項１〜４のいずれか一項に記載の照明装置において、
前記発光制御手段は、
前記温度検出手段による温度検出後であって、且つ前記発光手段を発光させるのに必要な電圧が充電されたときに、前記発光手段を前記第２位置から前記第１位置へ移動させることを特徴とする照明装置。
【請求項６】
請求項１〜４のいずれか一項に記載の照明装置において、
前記発光制御手段は、
前記温度検出手段による温度検出後であって、且つ前記発光手段の発光を指示する発光信号が入力されたときに、前記発光手段を前記第２位置から前記第１位置へ移動させることを特徴とする照明装置。
【発明の詳細な説明】
【技術分野】
【０００１】
本発明は、カメラに使用される照明装置に関するものである。
【背景技術】
【０００２】
カメラに使用される撮影用の照明装置は、発光部が照明光を発光するのに伴い熱が発生する。発光部の前面（被写体側）には、照明光を集光または拡散させるための前カバーが設けられている。前カバーは、おもに樹脂製のフレネルレンズまたは半透明版により構成されている。このため、連続して発光を行うと、前カバーが熱で変形するおそれがある。
【０００３】
これを解決するため、前カバーと発光部との間を離すことにより、熱による前カバーの変形を防ぐようにしたストロボ装置が提案されている（特許文献１参照）。また、前カバーの近傍に温度計を設け、前カバーの温度が所定の温度以上となった場合は、前カバーと発光部との間を離すようにした照明装置が提案されている（特許文献２参照）。
【先行技術文献】
【特許文献】
【０００４】
【特許文献１】特開２００７−１９２９７１号公報
【特許文献２】特開２００９−７５４０１号公報
【発明の概要】
【発明が解決しようとする課題】
【０００５】
一般に、照明装置の配光角を広くする場合は、前カバーと発光部とを接近させる。このため、特許文献１に記載のストロボ装置では、配光角を広くする場合に、前カバーと発光部との間を、予め設定した距離よりも接近させることができない。したがって、照明光の配光角に制約を受けることになり、照明装置として十分な光学性能を発揮できなくなる。
【０００６】
また、温度計により前カバーの温度を測定する場合、発光部が温度計の近傍に位置していると、測定結果は発光部が発光した際に生じる輻射熱の影響を受ける。このため正確な温度測定ができなくなることが考えられる。
【０００７】
本発明の課題は、光学性能に影響を与えることなしに、前カバーの温度を正確に測定することができる照明装置を提供することにある。
【課題を解決するための手段】
【０００８】
本発明は、以下のような解決手段により前記課題を解決する。なお、理解を容易にするために、本発明の実施形態に対応する符号を付して説明するが、これに限定されるものではない。
請求項１に記載の発明は、物体を照明するための照明光の発光時に配置される第１位置（Ｐ１）と、当該照明光を発光しない時に配置される位置であって、且つ前記第１位置よりも前記物体から離れる方向に離間した第２位置（Ｐ２）との間を移動可能な発光手段（６０）と、前記発光手段から発光された前記照明光を、前記物体の側に向けて拡散または集光するために、前記照明光の照射方向において前記発光手段よりも前記物体の側に設けられた光学部材（４１）と、前記光学部材の温度を検出する温度検出手段（４２）と、前記温度検出手段の検出結果に基づいて、前記発光手段による前記発光および前記移動を制御する発光制御手段（５４）と、を有し、前記温度検出手段は、前記発光手段が発光した直後であって、且つ前記発光制御手段により前記発光部が前記第１位置から、前記温度検出手段の温度検出範囲外となる前記第２位置へ移動制御された後に、前記光学部材の温度を検出することを特徴とする照明装置である。
請求項２に記載の発明は、請求項１に記載の照明装置（３０）において、前記光学部材（４１）に対して前記発光手段（６０）を接近または離間する方向に移動させることにより、前記照明光の配光角を変化させる配光角可変機構（７０）を備え、前記発光制御手段（５４）は、前記配光角可変機構を用いて、前記発光手段を前記第１位置と前記第２位置との間で移動可能に制御することを特徴とする。
請求項３に記載の発明は、請求項２に記載の照明装置（３０）において、前記発光制御手段（５４）は、前記配光角可変機構（７０）により、前記発光手段（６０）の配光角が閾値角度よりも広い角度範囲に設定されている場合に、前記発光手段を、前記第１位置での発光直後に前記第２位置まで移動させることを特徴とする。
請求項４に記載の発明は、請求項１〜３のいずれか一項に記載の照明装置（３０）において、前記発光制御手段（５４）は、前記配光角可変機構（７０）により、前記発光手段（６０）の配光角が閾値角度よりも狭い角度範囲に設定されている場合に、前記発光手段を、前記第１位置での発光直後に当該第１位置に保持させることを特徴とする。
請求項５に記載の発明は、請求項１〜４のいずれか一項に記載の照明装置（３０）において、前記発光制御手段（５４）は、前記温度検出手段（４２）による温度検出後であって、且つ前記発光手段（６０）を発光させるのに必要な電圧が充電されたときに、前記発光手段を前記第２位置から前記第１位置へ移動させることを特徴とする。
請求項６に記載の発明は、請求項１〜４のいずれか一項に記載の照明装置（３０）において、前記発光制御手段（５４）は、前記温度検出手段（４２）による温度検出後であって、且つ前記発光手段（６０）の発光を指示する発光信号が入力されたときに、前記発光手段を前記第２位置から前記第１位置へ移動させることを特徴とする。
なお、符号を付して説明した構成は、適宜改良してもよく、また、少なくとも一部を他の構成物に代替してもよい。
【発明の効果】
【０００９】
本発明によれば、光学性能に影響を与えることなしに、前カバーの温度を正確に測定することができる照明装置を提供することができる。
【図面の簡単な説明】
【００１０】
【図１】実施形態に係わる照明装置を装着したカメラシステムの外観図である。
【図２】照明装置の構成図である。
【図３】ヘッド部の構成図である。
【図４】照明装置における発光および温度測定のタイミングを示すタイムチャートである。
【図５】発光制御部の発光制御に関する処理手順を示すフローチャートである。
【発明を実施するための形態】
【００１１】
以下、図面を参照して、本発明に係わる照明装置の実施形態について説明する。なお、以下に示す図には、説明と理解とを容易にするために、必要に応じてＸＹＺの直交座標系を設けた。この座標系では、撮影者がレンズ鏡筒の光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１２】
図１は、本実施形態に係わる照明装置を装着したカメラシステムの外観図である。本実施形態のカメラシステム１は、カメラ本体１０、レンズ鏡筒２０、および照明装置３０を備える。
【００１３】
カメラ本体１０のカメラマウント部１１には、レンズ鏡筒２０が装着されている。レンズ鏡筒２０は、焦点距離が可変（例えば、２４ｍｍ〜８５ｍｍ）となるように構成されたズームレンズである。また、カメラ本体１０は、レンズ鏡筒２０により結像された被写体像を撮像する不図示の撮像素子を備える。
【００１４】
カメラ本体１０のアクセサリシュー１２には、照明装置３０が装着されている。照明装置３０は、カメラ本体１０による撮影時に、被写体に向けて照明光を直接または間接的に照射するヘッド部４０と、ヘッド部４０の発光などを制御する本体部５０とを備える。
【００１５】
照明装置３０は、本体部５０の下部に設けられた取り付け脚５５によりカメラ本体１０のアクセサリシュー１２に装着されている。取り付け脚５５は、電極端子（不図示）を備えている。取り付け脚５５をアクセサリシュー１２に装着すると、取り付け脚５５の電極端子と、アクセサリシュー１２に設けられた電極端子（不図示）とが接触して電気的に導通する。これにより、カメラ本体１０と照明装置３０との間で各種信号や情報の伝達が行われる。後述するカメラ本体１０から送信される発光信号は、上記電極端子を介して照明装置３０に伝達される。
【００１６】
図２は、照明装置３０の構成図である。ヘッド部４０は、発光部６０、前カバー４１、温度センサ４２、メインコンデンサ４３、およびズーム機構部７０を備える。
【００１７】
発光部６０は、被写体に対して照明光を発する発光手段である。発光部６０は、光源となるキセノン管６１と、キセノン管６１で発光された照明光の一部をＺ方向に反射するリフレクタ６２と、キセノン管６１を保護するための透明カバー（不図示）とを備える。キセノン管６１は、長手方向がＸ軸に沿うように配置された棒状の発光管である。リフレクタ６２は、表面に反射層を有する板部材を略半円形に形成した反射部材である。また、発光部６０は、後述のズーム機構部７０と係合する支持部６３を備える。
【００１８】
前カバー４１は、キセノン管６１で発光された照明光を所定の照射範囲に拡散させるための光学部材である。前カバー４１は、同心円状のフレネル溝（不図示）を備えたフレネルレンズにより構成される。前カバー４１は、照明光の照射方向において、キセノン管６１よりも被写体側に設けられている。
【００１９】
温度センサ４２は、前カバー４１の温度を測定する温度検出手段である。温度センサ４２は、前カバー４１を正面視したときに、中央上部となる位置に配置されている。温度センサ４２で測定された温度は、後述の発光制御部５４に送信される。
メインコンデンサ４３は、キセノン管６１に出力する電荷が蓄積される電荷蓄積手段である。メインコンデンサ４３は、不図示の回路部品とともにキセノン管６１と接続されている。
【００２０】
ズーム機構部７０は、発光部６０をＺ方向に沿って前後に移動させることにより、照明光の配光角を変化させる配光角可変機構である。ズーム機構部７０は、発光部６０を移動するための駆動力を発生するモータ７１と、モータ７１で発生した駆動力により回転するリードスクリュー７２とを備える。リードスクリュー７２は、表面に雄ねじが形成されている。上述した発光部６０の支持部６３には、上記雄ねじと係合する雌ねじが形成されている。発光部６０は、支持部６３の雌ねじがリードスクリュー７２の雄ねじと係合している。発光部６０は、Ｚ方向に沿って前後に移動可能で、且つリードスクリュー７２の軸回りに回転しないように支持されている。リードスクリュー７２が回転すると、リードスクリュー７２の雄ねじと係合する雌ネジとともに、支持部６３が前方または後方に移動する。
【００２１】
モータ７１で駆動力を発生させてリードスクリュー７２を回転させると、リードスクリュー７２の回転方向に応じて、発光部６０の支持部６３がＺ方向の前方に向けて移動（以下、前進という）、またはＺ方向の後方に向けて移動（以下、後退という）する。発光部６０を前進させて前カバー４１に近づけると、照射光の配光角は広くなる。一方、発光部６０を後退させて前カバー４１から遠ざけると、照射光の配光角は狭くなる。したがって、発光部６０を前後に移動させて、前カバー４１と発光部６０との距離を変化させることにより、照射光の配光角を変更することができる。
【００２２】
図２に示すように、発光部６０が前方に位置しているときは配光角が最も広くなり、後方（二点鎖線で示す）に位置しているときは配光角が最も狭くなる。レンズ鏡筒２０の焦点距離を２４ｍｍ〜８５ｍｍとすると、焦点距離２４ｍｍに設定されたときは、発光部６０は最も前方に移動する。また８５ｍｍに設定されたときは、発光部６０は最も後方に移動する。同様に、２８ｍｍ、３５ｍｍ、５０ｍｍなどの焦点距離に設定された場合は、その焦点距離の画角に対応する配光角となる位置に移動する。
【００２３】
ユーザが設定したレンズ鏡筒２０の焦点距離は、レンズ鏡筒２０からカメラ本体１０のカメラ制御部（不図示）に焦点距離情報として送信される。焦点距離情報は、カメラ制御部から照明装置３０の発光制御部５４に送信される。発光制御部５４は、焦点距離情報に基づいて、対応する配光角を設定する。そして、ズーム機構部７０を制御し、設定した配光角となるように発光部６０を所定の位置に移動させる。
【００２４】
すなわち、発光制御部５４は、レンズ鏡筒２０の焦点距離が短くなると、発光部６０を前カバー４１と接近するように前方に移動させて、照明装置３０の配光角を広くする。また、発光制御部５４は、レンズ鏡筒２０の焦点距離が長くなると、発光部６０が前カバー４１から離れるように後方に移動させて、照明装置３０の配光角を狭くする。このように、ユーザがレンズ鏡筒２０の焦点距離を変更するのと連動して、照明装置３０の配光角も自動的に変更される。
本体部５０は、発光回路５１、操作部５２、電源部５３、および発光制御部５４を備える。発光回路５１は、電源部５３の電圧を規定の充電電圧まで昇圧する昇圧回路（不図示
）と、メインコンデンサ４３に充電した電荷をキセノン管６１に出力する出力回路（不図示）とを備える。発光回路５１の動作は、発光制御部５４により制御される。
【００２５】
操作部５２は、照明装置３０の電源スイッチ、充電完了時に点灯する充電完了ランプ、調光モードや配光角などを設定するダイヤルなど（いずれも不図示）を備える操作入力手段である。また、操作部５２は、各種の情報表示を行う液晶パネル（不図示）を備える。操作部５２は、発光制御部５４に接続されている。電源部５３は、照明装置３０の各部に電力を供給する電力供給手段である。
【００２６】
発光制御部５４は、発光部６０の発光動作、ズーム機構部７０による発光部６０の移動動作、および発光回路５１による昇圧動作などを制御する。発光制御部５４は、マイクロプロセッサにより構成されている。
【００２７】
図３は、ヘッド部４０の構成図である。発光制御部５４は、温度センサ４２により前カバー４１の温度を測定する際に、発光部６０に生じる輻射熱の影響を受けないようにするため、発光部６０が前カバー４１と接近した発光位置Ｐ１で発光した直後にズーム機構部７０を制御して、温度センサ４２が発光部６０の輻射熱の影響を受けない後退位置Ｐ２まで発光部６０を後退させる。なお、発光部６０の発光位置Ｐ１は、設定された配光角により異なる。本実施形態では、後述するように、発光部６０の発光位置Ｐ１が温度センサ４２の感度領域内となる場合に、後退位置Ｐ２まで後退させている。
【００２８】
温度センサ４２は、図３において二点鎖線で示す感度領域（温度検出範囲）を有する。このため、発光部６０が発光位置Ｐ１で発光した直後に、温度センサ４２の感度領域外となる後退位置Ｐ２まで後退させることにより、温度センサ４２が発光部６０の輻射熱の影響を受けないようにすることができる。
【００２９】
後退位置Ｐ２を、温度センサ４２から離れた位置に設定するほど、温度センサ４２が発光部６０の輻射熱の影響を受けないようにすることができる。したがって、後退位置Ｐ２は、温度センサ４２から出来るだけ離れた位置に設定することが望ましい。しかしながら、シャッタレリーズを検出してからシャッタが作動するまでの間に、ズーム機構部７０の動作により発光部６０を発光位置Ｐ１まで戻すことができないと、撮像素子における撮像のタイミングに間に合わなくなる。このため、後退位置Ｐ２は、温度センサ４２が発光部６０の輻射熱の影響を受けない位置とするとともに、シャッタレリーズを検出してからシャッタが作動するまでの間に、ズーム機構部７０の動作により発光部６０を発光位置Ｐ１まで戻すことができる位置に設定することが望ましい。
【００３０】
また、発光位置Ｐ１の場所が温度センサ４２の感度領域に入る場合と、外れる場合がある。例えば、レンズ鏡筒２０の焦点距離を２４ｍｍ〜８５ｍｍとしたときに、焦点距離２４ｍｍ〜４０ｍｍ未満に対応する配光角となるように発光部６０を移動させると、発光部６０は、図３に示す温度センサ４２の感度領域に入る。また、焦点距離４０ｍｍ以上の焦点距離に対応する配光角となるように発光部６０を移動させると、発光部６０は、図３に示す温度センサ４２の感度領域から外れる。
【００３１】
発光制御部５４は、発光部６０が発光したときの発光位置Ｐ１が温度センサ４２の感度領域に入る場合は後退位置Ｐ２まで後退させ、発光位置Ｐ１が温度センサ４２の感度領域から外れる場合は発光後の移動をしないように制御する。このため、発光制御部５４は、発光部６０が発光位置Ｐ１で発光した直後に、レンズ鏡筒２０の焦点距離が４０ｍｍ未満であるかを判定し、焦点距離が４０ｍｍ未満のときのみ、発光部６０を後退位置Ｐ２まで移動させている。言い換えると、発光制御部５４は、レンズ鏡筒２０において、発光部６０の配光角が閾値角度よりも広い角度範囲となるような焦点距離に設定されている場合にのみ、発光部６０を後退位置Ｐ２まで移動させている。
【００３２】
また、発光制御部５４は、移動した発光部６０が後退位置Ｐ２に停止している間に、温度センサ４２により測定された前カバー４１の温度を取得する。発光制御部５４は、温度センサ４２により測定された前カバー４１の温度が所定値以上であるときは、発光回路５１の昇圧動作などを停止するとともに、操作部５２の液晶パネルに発光を停止する旨のメッセージを表示させる。
【００３３】
さらに、発光制御部５４は、温度センサ４２による前カバー４１の温度測定後に、メインコンデンサ４３の充電が完了したことを検出すると、ズーム機構部７０を制御して、発光部６０を後退位置Ｐ２から発光位置Ｐ１まで前進させる。これにより、発光部６０を後退前の発光位置Ｐ１で発光させることができる。なお、メインコンデンサ４３の充電が完了した時点で、発光部６０の配光角が変更された場合は、その配光角に対応する発光位置Ｐ１に発光部６０を移動させる。
【００３４】
ここで、上述した発光制御部５４による発光および温度測定のタイミングについて説明する。図４は、照明装置３０における発光および温度測定のタイミングを示すタイムチャートである。発光制御部５４は、発光部６０が発光位置Ｐ１で発光した後、温度センサ４２から前カバー４１の温度を取得すると、ズーム機構部７０を制御して、発光部６０を発光位置Ｐ１に移動させる（前進）。発光部６０が発光位置Ｐ１に移動した後、カメラ制御部がシャッタレリーズを検出すると、カメラ本体１０から発光制御部５４に対し発光信号が送信される。発光制御部５４は、発光信号を受信すると、発光回路５１を制御して、発光部６０を発光させる。発光部６０による発光の間、発光部６０の移動は停止している。また、発光部６０による発光の前後において、温度センサ４２による前カバー４１の温度の測定も停止する（ＯＦＦ）。
【００３５】
発光制御部５４は、発光部６０での発光が終了すると、ズーム機構部７０を制御して、発光部６０を後退位置Ｐ２まで移動させる（後退）。続いて、発光制御部５４は、温度センサ４２による前カバー４１の温度を測定する（ＯＮ）。この後、発光制御部５４は、ズーム機構部７０を制御して、発光部６０を発光位置Ｐ１に移動させる（前進）。以後、同様のタイミングで発光部６０における発光、ズーム機構部７０による発光部６０の移動、および温度センサ４２による温度測定を制御する。
【００３６】
次に、上述した発光制御部５４の発光制御に関する処理手順を図５のフローチャートを参照しながら説明する。図５に示すフローチャートの処理は、照明装置３０をカメラ本体１０のアクセサリシュー（または調光コードのアクセサリシューなど）に装着した状態で実行される。
【００３７】
ステップＳ１において、発光制御部５４は、操作部５２の電源スイッチがＯＮされると、ステップＳ２において、発光回路５１を制御して、メインコンデンサ４３への充電を開始する。続いて、ステップＳ３において、発光制御部５４は、発光部６０を発光位置Ｐ１に移動する。なお、すでに発光部６０が発光位置Ｐ１にある場合は、ステップＳ３の処理をスキップしてステップＳ４に移行する。
【００３８】
ステップＳ４において、発光制御部５４は、カメラ本体１０から発光信号を受信したかどうかを判定する。この判定でＮＯであれば、ステップＳ５において、電源スイッチがＯＦＦされたかどうかを判定する。この判定でＹＥＳであれば、本フローチャートの処理を終了する。また、ＮＯであれば、ステップＳ４にリターンする。一方、ステップＳ４の判定でＹＥＳであれば、ステップＳ６に進む。
【００３９】
ステップＳ６において、発光制御部５４は、発光回路５１を制御して、発光部６０を発光させる。ステップＳ７において、発光制御部５４は、発光回路５１を制御して、メインコンデンサ４３への充電を開始する。続いて、ステップＳ８において、発光制御部５４は、レンズ鏡筒２０の焦点距離が４０ｍｍ未満かどうかを判定する。この判定でＹＥＳであれば、発光制御部５４は、発光部６０を後退位置Ｐ２まで移動する。また、ステップＳ８の判定でＮＯであれば、発光制御部５４は、発光部６０を後退させることなしにステップＳ１０へ進む。
【００４０】
ステップＳ１０において、発光制御部５４は、温度センサ４２により測定された前カバー４１の温度を取得する。また、ステップＳ８の判定でＮＯであれば、発光部６０を移動することなくステップＳ１０へ移行する。ステップＳ１１において、発光制御部５４は、メインコンデンサ４３の充電が完了したかどうかを判定する。この判定でＹＥＳあれば、ステップＳ１２において、発光制御部５４は、発光部６０が後退位置Ｐ２にあるかどうかを判定する。
【００４１】
ステップＳ１２の判定でＹＥＳであれば、ステップＳ３にリターンする。すなわち、ステップＳ９で発光部６０を後退位置Ｐ２まで移動させた場合は、発光部６０を発光位置Ｐ１へ移動させる。また、ＮＯであれば、ステップＳ４にリターンする。すなわち、ステップＳ９で発光部６０を後退位置Ｐ２まで移動させなかった場合は、次の発光信号を受信するまで待機する。
【００４２】
なお、メインコンデンサ４３への充電中にシャッタレリーズが行われたときは、発光部６０を本来の光量で発光させることができないため、発光制御部５４は、カメラ本体１０から発光信号を受信しても、発光部６０を発光させることはない。図５に示すフローチャートでは、メインコンデンサ４３への充電中は発光部６０を発光位置Ｐ１に移動させないようにしているが、この間にシャッタレリーズが行われても、発光部６０による発光が行われないため、発光部６０が発光位置Ｐ１に移動していなくても不具合を生じることはない。
【００４３】
上述した実施形態によれば、以下のような効果を奏する。
（１）発光部６０は、発光後に、温度センサ４２から離れる方向に移動するため、温度センサ４２は発光部６０の輻射熱の影響を受けにくくなる。このため、温度センサ４２により前カバー４１の温度を正確に測定することができる。また、発光時に、発光部６０と前カバー４１との距離を接近させることができるため、照明光の配光角に制約を受けることがない。このため、十分な光学性能を発揮させることができる。したがって、本実施形態に係わる照明装置３０によれば、光学性能に影響を与えることなしに、前カバーの温度を正確に測定することができる。
（２）発光部６０が後退位置Ｐ２に移動すると、前カバー４１と発光部６０との間に空気層の空間が形成される。発光部６０の発光による熱はこの空気層に広がるため、前カバー４１およびその周辺の温度を下げることができる。同時に、前カバー４１の近傍に配置されている温度センサ４２における測定精度も向上させることができる。
（３）発光部６０は、配光角を変化させるためのズーム機構部７０により移動する。したがって、発光部６０を移動させるための移動機構を新たに設ける必要がなく、スペースを有効利用することができる。
（４）発光部６０は、配光角が閾値角度よりも広い角度範囲に設定された場合にのみ後方に移動する。このように、発光部６０の輻射熱の影響を考慮する必要がない場合は発光部６０を移動させないため、ズーム機構部７０の無駄な動作を制限することができる。
（５）発光部６０は、メインコンデンサ４３の充電が完了したときに発光位置Ｐ１まで移動する。これによれば、発光部６０は、メインコンデンサ４３の充電が完了するまでの間、前カバー４１に接近しないので、前カバー４１の温度上昇を抑えることができる。
（６）温度センサ４２の感度領域外となる位置を後退位置Ｐ２としたので、発光部６０を前カバー４１から離す距離を必要最小限とすることができる。このため、発光部６０を、次の発光までの間に速やかに発光位置Ｐ１まで戻すことができる。
【００４４】
（変形形態）
以上説明した実施形態に限定されることなく、本発明は以下に示すような種々の変形や変更が可能であり、それらも本発明の範囲内である。
（１）発光部６０を、メインコンデンサ４３の充電が完了し、且つ発光信号を受信したときに後方に移動するようにしてもよい。この場合は、発光部６０が前カバー４１から離れる時間をさらに長くすることができるので、前カバー４１の温度上昇をより抑えることができる。
（２）発光制御部５４において、メインコンデンサ４３の充電が完了する時間を予測し、その時間が経過した時点で発光部６０を発光位置Ｐ１に移動させるようにしてもよい。
（３）前カバー４１の温度が規定値以下の場合には、配光角が閾値角度よりも広い角度範囲に設定されていても、発光後に発光部６０を後方に移動しないようにしてもよい。これにより、ズーム機構部７０の無駄な動作を制限することができる。
（４）発光部６０を、温度センサ４２の感度領域外となる位置からさらに後方に移動させるようにしてもよい。この場合は、発光部６０が温度センサ４２の感度領域外であれば、発光部６０の移動中であっても、温度センサ４２による温度の測定を行うことができる。
（５）ズーム機構部７０の代わりに、発光部６０をＺ方向に沿って前後に移動させる専用の移動機構部を設けてよい。
（６）カメラ本体に装着される照明装置だけでなく、カメラ内蔵の照明装置にも適用することができる。
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００４５】
１：カメラシステム、１０：カメラ本体、２０：レンズ鏡筒、３０：照明装置、４１：前カバー、４２：温度センサ、４３：メインコンデンサ、５１：発光回路、５４：発光制御部、６０：発光部、６１：キセノン管、７０：ズーム機構部
【図１】
0005493794.tif 000002
【図２】
0005493794.tif 000003
【図３】
0005493794.tif 000004
【図４】
0005493794.tif 000005
【図５】
0005493794.tif 000006